(57)【要約】【課題】従来の撮像装置のビューファインダ取付装置では、スライダユニットと、これを移動可能に支持する２本のガイド棒との間にそれぞれ一定の隙間が形成されているため、各ガイド棒毎に隙間を解消するためのロック手段が必要となり、ロックのための操作性が悪く、ロック操作のために煩わしい作業が必要とされていた。【解決手段】ビデオカメラ１と、電子ビューファインダ４と、これらを相対的に位置調節可能に連結するファインダ取付装置５と、を備えて構成されている。ファインダ取付装置５は、ビデオカメラ１と電子ビューファインダ４とを連結する２本のガイド軸１６，１７と、その２本のガイド軸を締め付け可能な２つのクランプ部材２０，２１と、そのクランプ部材を動作させてガイド軸を締め付けるクランプレバー２３とテコ部材２４と操作レバー２５とネジ部材２６と、を有する。【選択図】図４
2010252111.tif 000002
【特許請求の範囲】
【請求項１】
第１の電子機器部と、
第２の電子機器部と、
前記第１の電子機器部と前記第２の電子機器部とを相対的に位置調節可能に連結する締結部と、を備え、
前記締結部は、
前記第１の電子機器部と前記第２の電子機器部とを連結する複数のガイド軸と、
前記複数のガイド軸を締め付け可能な複数のクランプ部材と、
前記クランプ部材を動作させて前記ガイド軸を締め付ける締付操作部と、を有する
電子機器。
【請求項２】
前記複数のガイド軸は、平行に配置された２本のガイド軸からなり、
前記複数のクランプ部材は、前記２本のガイド軸にそれぞれ装着されると共に周方向の連続を断つスリットと２つの突起部と、を有する
請求項１記載の電子機器。
【請求項３】
前記締付操作部は、
前記複数のガイド軸を支持する電子機器本体に螺合されたネジ部材と、
前記ネジ部材を回動させる操作レバーと、
前記ネジ部材の回動により前記２つの突起部の一方の突起部を他方の突起部に対して接近又は離反させるクランプレバーと、を有する
請求項２記載の電子機器。
【請求項４】
前記締付操作部は、前記ネジ部材の軸方向への移動量を拡大して前記クランプレバーに伝達するテコ部材を有する
請求項３記載の電子機器。
【請求項５】
前記クランプ部材は、耐摩耗性に優れたエンジニアリングプラスチックにより形成した
請求項１記載の電子機器。
【請求項６】
電子機器部と、
アクセサリー部と、
前記電子機器部と前記アクセサリー部とを相対的に位置調節可能に連結する締結部と、を備え、
前記締結部は、
前記電子機器部と前記アクセサリー部とを連結する複数のガイド軸と、
前記複数のガイド軸を締め付け可能な複数のクランプ部材と、
前記クランプ部材を動作させて前記ガイド軸を締め付ける締付操作部と、を設けた
電子機器。
【請求項７】
前記電子機器部は撮像装置であり、
前記アクセサリー部はビューファインダ装置である
請求項６記載の電子機器。
【発明の詳細な説明】
【技術分野】
【０００１】
本発明は、第１の電子機器部と第２の電子機器部とを締結部により相対的に位置調節可能に連結する電子機器に関し、特に、ワンタッチ操作によって第２の電子機器部を任意の位置に確実に固定することができる電子機器に関する。
【背景技術】
【０００２】
この種の電子機器、即ち、第１の電子機器部と第２の電子機器部とを締結部によって位置調節可能に連結した電子機器として、例えば、撮像装置を挙げることができる。この場合、撮像装置本体を第１の電子機器部とすると、第２の電子機器部として、例えばビューファインダ装置を挙げることができる。このような構成を有する撮像装置は、主に業務用の大型のビデオカメラとして実現されており、ビューファインダ装置は電子機器本体に対して、締結部としてのビューファインダ取付装置を介して、相対的に位置調節可能に連結されている。
【先行技術文献】
【特許文献】
【０００３】
【特許文献１】特開平５−１４５８０８号公報
【特許文献２】特開平８−２８６１１７号公報
【０００４】
従来の、この種の撮像装置のビューファインダ取付装置の第１の例として、例えば、特許文献１に記載されているようなものがある。特許文献１には、この特許出願人が先に特許出願したもので、携帯型ビデオカメラ等に使用して好適なカメラのビューファインダ取付装置に関するものが記載されている。特許文献１に係るビューファインダ取付装置は、ビデオカメラ本体の左右方向に延在するガイド溝を有する第１スライダユニットと、ガイド溝に嵌合するシューを有する第２スライダユニットと、ガイド溝の延在方向に進退するビューファインダとを備えている。ガイド溝を、シューに対する嵌合面が傾斜するアリ溝によって形成し、このアリ溝の嵌合面に適合する傾斜面をシューの４端縁に形成した、ことを特徴としている。
【０００５】
このような構成を有するカメラのビューファインダ取付装置（以下「第１の従来例」という。）によれば、ファインダ取付時に、シューの２端縁をアリ溝の両側溝壁に嵌合させることができる。そのため、第１スライダユニットに対するビューファインダの取付方向を４方向に設定することができ、ビューファインダの取付位置の自由度を高めることができる、等の効果を得ることができる。
【０００６】
また、従来の、この種の撮像装置のビューファインダ取付装置の第２の例として、例えば、特許文献２に記載されているようなものもある。特許文献２には、ビューファインダをカメラ本体に対して平面内で移動調整可能に取り付けるためのビューファインダ取付装置等に関するものが記載されている。特許文献２に係るビューファインダ取付装置は、第１及び第２のスライド部材と、カメラ取付部と、第３及び第４のスライド部材と、ホルダと、ビューファインダ取付部と、スライドロック手段とを備えている。第１及び第２のスライド部材並びに第３及び第４のスライド部材は、それぞれ一方がスライド軸受であり、他方がこのスライド軸受内をスライドするスライド軸である。カメラ取付部は第１のスライド部材をカメラ本体に取り付けるためのもので、ホルダは第２のスライド部材と第３のスライド部材を互いに直角方向に保持する。また、ビューファインダ取付部は第４のスライド部材をビューファインダに取り付けるためのもので、スライドロック手段はビューファインダ取付部とカメラ取付部間をロックするためのものである。
【０００７】
このような構成を有するビューファインダ取付装置（以下「第２の従来例」という。）によれば、任意の位置でロックすることにより、各スライド部材のスライドを同時にロックしてビューファインダを固定することができる。従って、人の体型や撮影形態に応じて、ビューファインダを最適のポジションに迅速に確実に設定することができる、等の効果が期待される。
【０００８】
しかしながら、上述した第１の従来例においては、カメラ本体に設けた保持体に、互いに平行とされた２本のガイド棒の各一端が固定されていて、その２本のガイド棒の自由端側に第１スライダユニットが軸方向へ位置調節可能に嵌合されている。第１スライダユニットにはアリ溝が設けられており、そのアリ溝を用いて第２スライダユニットが、前記軸方向と直交する方向へ位置調節可能に嵌合されている。第１スライダユニットの移動を可能とするため、２本のガイド棒と第１スライダユニットとの間には一定のクリアランスが設けられている。そのため、２本のガイド棒においてクリアランスを除去するためには、各ガイド棒毎にロックネジ等のロック手段が必要となっていた。
【０００９】
例えば、第１の従来例において、第１スライダユニットを任意の位置でロックするために、一方のガイド棒を固定ネジでネジ止めすると、他方のガイド棒とユニットエレメントとの間にクリアランス分のガタが発生する。そのガタを解消するためには、他方のガイド棒も同様にネジ止めする必要がある。このように２個のネジを用いることにより、２本のガイド棒との隙間を共に無くして、第１スライダユニットを任意の位置でロックすることが可能となる。従って、第１スライダユニットを任意の位置でロックするためには、２箇所にロック手段を設ける必要があったことから、ロックのための操作性が悪く、ロック操作のために煩わしい作業が必要とされているという問題があった。
【００１０】
また、第２の従来例においては、スライド可変量と同じ面積のロックテーブルが必要であるが、実際には種々の制約によりロックテーブルを広くすることができず、結果スライド可変量が著しく制限される方式である。また、第１の従来例と略同様の構成を有していることから、十分な固定を実現するためには、同じく２箇所にロック手段を設ける必要があった。そのため、第１の従来例と同様に、ロックのための操作性が悪く、ロック操作のために煩わしい作業が必要とされているという問題があった。
【発明の概要】
【発明が解決しようとする課題】
【００１１】
解決しようとする問題点は、従来の撮像装置のビューファインダ取付装置では、スライダユニットと、これを移動可能に支持する２本のガイド棒との間にそれぞれ一定の隙間が形成されている。そのため、各ガイド棒毎に隙間を解消するためのロック手段が必要となり、ロックのための操作性が悪く、ロック操作のために煩わしい作業が必要とされているという点である。
【課題を解決するための手段】
【００１２】
本発明の電子機器は、第１の電子機器部と、第２の電子機器部と、第１の電子機器部と第２の電子機器部とを相対的に位置調節可能に連結する締結部と、を備えて構成されている。締結部は、第１の電子機器部と第２の電子機器部とを連結する複数のガイド軸と、その複数のガイド軸を締め付け可能な複数のクランプ部材と、そのクランプ部材を動作させてガイド軸を締め付ける締付操作部と、を有する。
【発明の効果】
【００１３】
本発明の電子機器によれば、第１の電子機器部に対する第２の電子機器部の取付位置を、ワンタッチ操作によって任意の位置に確実に固定することができる。
【図面の簡単な説明】
【００１４】
【図１】本発明の電子機器の第１の実施の形態の例を示すビデオカメラの全体構成を現した外観図である。
【図２】図１に示すビデオカメラのビューファインダ取付装置の第１の実施の形態の例を現した側面図である。
【図３】図１に示すビデオカメラのビューファインダ取付装置の第１の実施の形態の例を現した底面図である。
【図４】図１に示すビデオカメラのビューファインダ取付装置の第１の実施の形態の例を現した平面側から要部を見た斜視図である。
【図５】図１に示すビデオカメラのビューファインダ取付装置の第１の実施の形態の例を現した底面側から要部を見た斜視図である。
【図６】図１に示すビデオカメラのカメラ本体の要部を現した説明図である。
【図７】図１に示すビデオカメラのビューファインダ取付装置の第１の実施の形態の例に係るクランプ部材を現した斜視図である。
【図８】図１に示すビデオカメラのビューファインダ取付装置の第１の実施の形態の例に係るクランプレバーを現した斜視図である。
【図９】図１に示すビデオカメラのビューファインダ取付装置の第１の実施の形態の例に係るテコ部材を現した斜視図である。
【図１０】図１に示すビデオカメラのビューファインダ取付装置の第１の実施の形態の例に係る操作レバーを現した斜視図である。
【図１１】図１に示すビデオカメラのビューファインダ取付装置の第１の実施の形態の例に係るネジ部材を現した斜視図である。
【図１２】図１に示すビデオカメラのビューファインダ取付装置の第１の実施の形態の例に係るネジ蓋を現した斜視図である。
【図１３】図６に示すカメラ本体に２本のガイド軸とネジ部材を取り付けた説明図である。
【図１４】図１３に示すカメラ本体に装着されたネジ部材にテコ部材を取り付けた説明図である。
【図１５】図１に示すビデオカメラのビューファインダ取付装置の第１の実施の形態の例に係る締結部の概略構成を現した説明図である。
【図１６】図１５に示す締結部のテコ部材等の動作を現した説明図である。
【発明を実施するための形態】
【００１５】
第１の電子機器部と第２の電子機器部を連結する締結部を、複数のガイド軸と複数のクランプ部材と締付操作部とを設けて構成することにより、ワンタッチ操作で第２の電子機器部を任意の位置に確実に固定できる取付装置を、簡単な構成によって実現した。
【実施例】
【００１６】
図１は、本発明の電子機器の実施の形態の第１の例を示すもので、撮像装置の一具体例を示すビデオカメラに適用したものである。図１に示すビデオカメラ１は、情報記録媒体として半導体記録媒体を用いたデジタルビデオカメラである。このビデオカメラ１は、レンズ装置から入力される被写体の光学的な画像を撮像素子で電気的な信号に変換し、内蔵された半導体記録媒体や外付けされる半導体記録媒体に記録したり、ビューファインダ２等の表示装置に表示できるようにしたものである。撮像素子としては、例えば、ＣＣＤやＣＭＯＳ等を挙げることができる。また、表示装置として、図示しない液晶ディスプレイや有機ＥＬディスプレイ等を設け、ビューファインダ２と併用して用いることもできる。
【００１７】
この実施例で示すビデオカメラ１は、業務用及び民生用の何れにも使用できるものである。更に、本発明の撮像装置としては、この実施例のデジタルビデオカメラに限定されるものではなく、アナログビデオカメラは勿論のこと、例えば、テレビカメラ、スチルカメラ、監視カメラ、その他の撮像装置として用いることができるものである。また、情報記録媒体としては、この実施例で示す半導体記録媒体に限定されるものではない。即ち、ＤＶＤやＣＤ−ＲＷその他の記録可能な光ディスク、光磁気ディスク、磁気ディスク等のディスク状記録媒体や、テープカセット等のテープ状記録媒体等を用いることもできる。
【００１８】
ビデオカメラ１は、カメラ本体２と、レンズ装置３と、撮像素子と、ビューファインダ装置の一具体例を示す電子ビューファインダ４と、電子ビューファインダ４をカメラ本体２に対して位置調節可能に支持するファインダ取付装置５等から構成されている。レンズ装置３が取り付けられたカメラ本体２が第１の電子機器部の一具体例を示し、電子ビューファインダ４が第２の電子機器部の一具体例を示し、ファインダ取付装置５が締結部の一具体例を示している。
【００１９】
カメラ本体２は、前後方向に長い中空の筐体からなっており、その内部に図示しない制御装置が内蔵されている。その内蔵された制御装置により、レンズ装置３や電子ビューファインダ４及び図示しない撮像素子その他の装置・機構が駆動制御され、映像の撮影等のための所定の動作が実行される。カメラ本体２の前面には、レンズ装置３を着脱可能に取り付けるための接合部６が設けられており、この接合部６に図示しない撮像素子が配置されている。撮像素子の受光面は被写体側に向けられており、その受光面の略中央部に、カメラ本体２に装着されたレンズ装置３の光軸が略一致するように構成されている。
【００２０】
レンズ装置３は、複数個のレンズ鏡筒と、複数枚のレンズの組み合わせからなる撮像レンズと、所定のレンズ鏡筒を光軸方向へ移動させるレンズ駆動部とを有している。複数個のレンズ鏡筒は、相対的に回動及び／又は光軸方向へ移動可能に構成されており、これら複数個のレンズ鏡筒に対して複数枚のレンズが取り付けられている。そして、レンズ駆動部の作動で所定のレンズ鏡筒を回転させて光軸方向へ移動させることにより、撮像レンズの光軸方向の位置を調整して、自動焦点合わせ、ズーム機能等を発揮し得るように構成されている。このレンズ装置３の前部には、撮像レンズに入射される光を規制するレンズフード７が着脱可能に取り付けられている。
【００２１】
カメラ本体２の下部には、ビデオカメラ１を肩に担いで支持するための肩当て部８が設けられている。肩当て部８は、カメラ本体２に設けた凹部９と、その凹部９内に収納された肩当てパッド１１を有している。カメラ本体２の上部には、レンズ装置３の光軸方向である前後方向に延在された把手１２が取り付けられている。この把手１２の前部から前方へ突出するように、電子ビューファインダ４がファインダ取付装置５によって位置調節及び姿勢調節可能に支持されている。
【００２２】
また、図１に示すように、カメラ本体２には、このビデオカメラ１を操作するための多数の操作ボタン１３が配設されている。操作ボタン１３はカメラ本体２の図示しない左側面部や背面部等にも配置されている。これらの操作ボタン１３としては、例えば、電源ボタン、録画ボタン、再生ボタン、早送りボタン、戻りボタン、シャッタボタン、その他各種の機能ボタンを挙げることができる。
【００２３】
図１〜図４に示すように、把手１２は、把持部１２ａと、前脚部１２ｂと、後脚部１２ｃと、ハウジング１４とを有している。把持部１２ａは、ビデオカメラ１を把持して捧げ持つ部分で、レンズ装置３の光軸方向に延在されている。前脚部１２ｂは、把持部１２ａの前端から側方へ突出するように形成されており、この前脚部１２ｂの把持部１２ａと反対側にハウジング１４が形成されている。後脚部１２ｃは、把持部１２ａの後端から斜め後方へ突出するように形成されていて、この後脚部１２ｃの把持部１２ａと反対側に固定枠１５が設けられている。把手１２は、例えば、アルミニウム合金やマグネシウム合金等によって一体に形成されている。
【００２４】
この把手１２は、ハウジング１４と固定枠１５をネジ止めすることによってカメラ本体２に固定されている。このカメラ本体２側の部品である把手１２のハウジング１４に、ファインダ取付装置５が設けられている。この実施例では、ファインダ取付装置５は、２本のガイド軸１６，１７と、連結アーム１８と、２つのクランプ部材２０,２１と、クランプレバー２３と、テコ部材２４と、操作レバー２５と、ネジ部材２６と、スペーサリング２７等によって構成されている。
【００２５】
ハウジング１４は、図２〜図６に示すような構成を有している。即ち、ハウジング１４は、平面形状が矩形状をなす平面部１４ａと、前面部１４ｂと、側面部１４ｃ，１４ｄと、後面部１４ｅと、膨出部１９と、を有している。前面部１４ｂは平面部１４ａの前端に連続し、側面部１４ｃ，１４ｄは平面部１４ａの左右に連続している。更に、後面部１４ｅは平面部１４ａの後端に連続し、膨出部１９は前脚部１２ｂ側に膨らむように形成されている。従って、ハウジング１４の下面は開口されていて、その開口部が、平面部１４ａ等によって囲まれた外空間部２８となっている。このハウジング１４の膨出部１９に、先端側が広げられた前脚部１２ｂの下端が連続されている。これにより、図６に示すように、膨出部１９の内側に、四角錐台形のように開口側が広げられた内空間部２９となっており、その内空間部２９が外空間部２８に連続されている。
【００２６】
ハウジング１４の外空間部２８内の前面部１４ｂ側の左右側面部１４ｃ，１４ｄの内側には、一対の軸受部３１ａ，３１ｂがそれぞれ設けられている。一対の軸受部３１ａ，３１ｂは、側面部１４ｃ，１４ｄが延在する方向へ所定の隙間をあけて配置されている。この一対の軸受部３１ａ，３１ｂ間に、クランプ部材２０，２１がそれぞれ配置される。一対の軸受部３１ａ，３１ｂには、ガイド軸１６又はガイド軸１７が摺動自在に挿通される軸受穴３２が共通に貫通されていて、その軸受穴３２は前面部１４ｂをも貫通してハウジング１４の外面に開口されている。
【００２７】
ハウジング１４の膨出部１９内の内空間部２９には、ネジ部材２５が螺合されるネジ穴３３を有する筒状軸部３４が設けられている。ネジ穴３３の軸心線は、前脚部１２ｂが延在する方向に設定されており、このネジ穴３３の一端が内空間部２９内に開口されている。ネジ穴３３の他端は、前脚部１２ｂに設けたレバー用空間部３５に開口されていて、そのレバー用空間部３５は、図４に示すように、前脚部１２ｂの側部に開口されている。
【００２８】
更に、ハウジング１４の内空間部２９内の筒状軸部３４の近傍には、テコ部材２６を揺動可能に支持する支持突起部３７が設けられている。支持突起部３７の上端面は、テコ部材２６の揺動を容易にするために曲面に形成されていると共に、その中央には、テコ部材２６の揺動方向を規制して所定方向へのみ揺動させるためのガイドピン３８が設けられている。更に、支持突起部３７の上端から少し下がった位置に、テコ部材２６の揺動支点となる支点ピン３９が設けられている。支点ピン３９は、支持突起部３７を貫通して両面から突出されている。この支点ピン３９の軸心線は、ガイド軸１６，１７の軸心線に対して所定の間隔をあけて直交する方向に延在されている。
【００２９】
ガイド軸１６，１７は、この実施例では、断面形状がリング状をなす円形パイプとされていて、同一部材が用いられている。これらのガイド軸１６，１７が、一対の軸受部３１ａ，３１ｂの軸受穴３２にそれぞれ摺動自在に挿通されている。軸受穴３２は、軸受部材を嵌合させて設けるようにしてもよく、また、各軸受穴３２と直接接触させる構成としてもよい。２本のガイド軸１６，１７の一端は、ハウジング１４の外側において、連結アーム１８にそれぞれネジ止めされて一体的に連結固定されている。また、２本のガイド軸１６，１７の他端には止め輪４１が装着されており、その止め輪４１によってハウジング１４からの各ガイド軸１６，１７の抜け出しが防止されている。なお、ガイド軸１６，１７は、その断面形状が円形以外の楕円形、四角形、三角形、六角形、八角形、その他の多角形等であってもよい。
【００３０】
連結アーム１８の左右方向の中央部には、電子ビューファインダ４を取り付けるための取付具４２が設けられている。この取付具４２によって電子ビューファインダ４が連結アーム１８に取り付けられている。なお、電子ビューファインダ４及び取付具４２は、周知のものであるため、ここでは詳細な説明は省略する。
【００３１】
クランプ部材２０，２１は、左右対称の形状を有するもので、同一部材を使用することができる。そのため、ここでは代表して、クランプ部材２０について説明する。クランプ部材２０は、図７に示すような形状、構造を有している。即ち、クランプ部材２０は、リング状の胴体部２２ａと、この胴体部２２ａと一体に設けた２つの突起部２２ｂ、２２ｃとからなっている。胴体部２２ａには、周方向の連続を遮断するスリット４４が設けられている。２つの突起部２２ｂ、２２ｃは、胴体部２２ａの外周面からそれぞれ半径方向外側へ突出するように形成されている。
【００３２】
クランプ部材２０の第１の突起部２２ｂは、クランプレバー２３と係合される部分で、この第１の突起部２２ｂから操作力が入力される。従って、第１の突起部２２ｂには比較的大きなモーメントが作用することになるため、スリット４４より内側の部分において、三角形をなすように突出形成して強度を高めている。第２の突起部２２ｃは、ロック時において、クランプ部材２０をハウジング１４の所定位置に位置決めさせておくための部分である。この実施例では、第２の突起部２２ｃは、スリット４４の一方の側縁から略法線方向へ突出するように形成されている。
【００３３】
このクランプ部材２０，２１は、ハウジング１４に設けた一対の軸受部３１ａ，３１ｂ間に収納されて使用されている。このクランプ部材２０，２１の材質としては，耐摩耗性に優れたエンジニアリングプラスチック、例えば、ＰＯＭ（ポリアセタール）やＰＡ（ポリアミド）等が好適である。しかしながら、クランプ部材２０，２１は、これらの材質に限定されるものではない。
【００３４】
図８に示すように、クランプレバー２３は、断面形状がコ字状をなす凹溝４５を有する樋状の部材として形成されている。このクランプレバー２３は、左右に配置された２つのクランプ部材２０，２１を連動させて締め付ける動作をさせるものである。このクランプレバー２３は、内空間部２９の開口部を横断できる長さを有しており、図３及び図５に示すように、２本のガイド軸１６，１７間に掛け渡すようにして用いられる。各クランプ部材２０，２１の第１の突起部２２ｂは、クランプレバー２３の凹溝４５内にそれぞれ係合される。
【００３５】
このクランプレバー２３で２つのクランプ部材２０，２１の第１の突起部２２ｂを同時に押圧することにより、それぞれの胴体部２２ａを周方向に弾性変形させる。このとき、各胴体部２２ａをガイド軸１６，１７に巻き付けて締め付けることにより、その胴体部２２ａとガイド軸１６（又は１７）との間の摩擦力が増加される。このときに増加される摩擦力を利用して、ガイド軸１６，１７の締付力を増大させ、各ガイド軸１６，１７を強固にロックすることができる。クランプレバー２３の材質としては、例えば、ステンレス鋼（例えば、ＳＵＳ３０４）が好適であるが、スチール鋼その他の金属を用いることもでき、これらの材質に限定されるものでないことは勿論である。
【００３６】
図９に示すように、テコ部材２４は、平面部２４ａと、この平面部２４ａの幅方向の両側に連続された左右の側面部２４ｂ，２４ｃとを有している。平面部２４ａには、長手方向の一側に配置された円形の嵌合穴５１と、長手方向の他側に配置された長溝５２とが設けられている。長溝５２は、長手方向に延在されて平面部２４ａの一の端縁に開口されている。この長溝５２には、ハウジング１４の支持突起部３７に設けたガイドピン３８が係合される。
【００３７】
テコ部材２４の左右の側面部２４ｂ，２４ｃは、平面部２４ａの幅方向の両端に連続されており、略９０度に折り曲げて立ち上げることによって一体に形成されている。そして、各側面部２４ｂ，２４ｃには、長溝５２と同方向に延在され且つ一の端縁に開口された軸受長溝５３がそれぞれ設けられている。テコ部材２４の材質としては、例えば、ステンレス鋼（例えば、ＳＵＳ３０４）やスチール鋼等の金属材料が好適である。しかしながら、これらの材質に限定されるものでないことは勿論である。
【００３８】
図１０に示すように、操作レバー２５は、略への字形に湾曲されたレバー部材として形成されている。操作レバー２５の長手方向の一側に、ネジ部材２６の固定軸部２６ｃが挿通される挿通穴４６が設けられている。この挿通穴４６に関連して操作レバー２５には、複数のねじ穴が設けられ、各ねじ穴には固定ネジ４７が螺合されている。これら固定ネジ４７の締め付けにより、操作レバー２５がネジ部材２６に対して一体的に固定される。操作レバー２５の材質としては、例えば、アルミニウム合金等の金属や、十分な強度を有するエンジニアリングプラスチック等を用いることができる。
【００３９】
図１１に示すように、ネジ部材２６は、ネジ軸部２６ａと、このネジ軸部２６ａの軸方向の一側に連続された押圧部２６ｂと、ネジ軸部２６ａの軸方向の他側に連続された固定軸部２６ｃとを有している。ネジ部材２６のネジ軸部２６ａには、ハウジング１４の筒状軸部３４に設けたネジ穴３３に螺合される雄ねじが設けられている。押圧部２６ｂには、外向きのフランジ５５が設けられている。このフランジ５５には、同程度の外径を有するスペーサリング２７が装着されている。スペーサリング２７は、これに接触されるクランプレバー２３との間の摩擦力を少なくして滑り易くするために設けたものである。
【００４０】
また、ネジ部材２６の固定軸部２６ｃには、外径を他の部分よりも小さくした小径部５６が設けられている。この小径部５６には、操作レバー２５に螺合された固定ネジ４７の先端が係合される。固定軸部２６ｃに小径部５６を設けた理由は、小径部５６の軸方向両端に段部を設けることにより、固定ネジ４７の先端で小径部５６に傷が付いても固定軸部２６ｃの径より大きくならず、分解したい場合に挿通穴４６が傷に干渉しないためである。ネジ部材２６の材質としては、例えば、ステンレス鋼やスチール鋼等の金属材料が好適である。しかしながら、これらの材質に限定されるものでないことは勿論である。
【００４１】
図１２は、ガイド軸１６，１７の軸方向の一端に装着されるネジ蓋５７である。このネジ蓋５７は、ガイド軸１６，１７の軸方向の一端に設けたネジ穴５８（図１３を参照）に螺合されるネジ軸部５７ａと、このネジ軸部５７ａの軸方向の一端に設けたフランジ５７ｂとを有している。
【００４２】
このような構成要素を有するファインダ取付装置５は、例えば、次のようにして組み立てることができる。しかしながら、この組立工程に限定されるものでないことは勿論である。
【００４３】
まず、図６に示すような状態にある把手１２のハウジング１４の２箇所に設けた軸受部３１ａ，３１ｂ間にクランプ部材２０，２１を配置する。次に、ハウジング１４の２箇所の軸受穴３２，３２にガイド軸１６，１７をそれぞれ挿入し、軸受部３１ａの穴及びクランプ部材２０，２１の穴を経て軸受部３１ｂの穴に挿通させる。そして、ガイド軸１６，１７の先端部に設けた環状溝に止め輪４１を係合し、各ガイド軸１６，１７を抜け止めする。
【００４４】
次に、膨出部１９のレバー用空間部３５に操作レバー２５の挿通穴４６側を挿入する。次いで、筒状軸部３４のネジ穴３３に、内空間部２９側からネジ部材２６の固定軸部２６ｃ側を挿入し、その固定軸部２６ｃを操作レバー２５の挿通穴４６に挿通させる。この状態で固定ネジ４７を締め込むことにより、操作レバー２５がネジ部材２６に対して連結されて固定される。次いで、操作レバー２５の押圧部２６ｂにスペーサリング２７を嵌合させ、フランジ５５に載置する。この状態を示す図が、図１３である。
【００４５】
次に、図１４に示すように、テコ部材２４を取り付ける。まず、テコ部材２４の両側面部２４ｂ，２４ｃに設けた軸受長溝５３，５３を、内空間部２９内に設けられている支持突起部３７の両側から突出している支持ピン３９，３９にそれぞれ係合させる。そして、テコ部材２４の平面部２４ａの軸受長溝５３と反対側を、ネジ部材２６の押圧部２６ｂに重ねる。このとき、平面部２４ａの長溝５２には、支持突起部３７の上端に設けたガイドピン３８が係合される。この状態を示す図が、図１４である。
【００４６】
次に、図５に示すように、クランプレバー２３を、テコ部材２４の上に配置すると共に、内空間部２９を横断するように掛け渡す。そして、内空間部２９の両側に配置されている２つのクランプ部材２０，２１の、それぞれの第１の突起部２２ｂをクランプレバー２３の凹溝４５にそれぞれ係合させる。この状態を示す図が、図１５である。
【００４７】
その後、一対のガイド軸１６，１７の外端に連結アーム１８を取り付け、図３に示すように、固定ネジ５９によってネジ止めする。そして、各ガイド軸１６，１７の先端にネジ蓋５７を装着する。この状態を示す図が、図３及び図４である。このように取り付けられた連結アーム１８に対して、取付部４２を介して電子ビューファインダ４が姿勢変更可能に取り付けられる。この状態を示す図が、図１である。
【００４８】
このようにして組み立てられるファインダ取付装置５による位置調節は、例えば、次のようにして行うことができる。図１は、ファインダ取付装置５を伸長させて電子ビューファインダ４を前進位置に設置した状態を示している。この状態では、２本のガイド軸１６，１７は、２個のクランブ部材２０，２１によって強固に締め付けられ、動けない状態になっている。この状態から、クランブ部材２０，２１によるガイド軸１６，１７の締付力を解除してファインダ取付装置５を後退動作させるには、操作レバー２５を緩めた後、電子ビューファインダ４を後方へ押して移動させるだけでよく、極めて簡単に実行することができる。
【００４９】
図１５及び図１６において実線で示す形態は、クランブ部材２０，２１によるガイド軸１６，１７の締付力が解除された状態を示している。また、図１５及び図１６において二点鎖線で示す形態は、クランブ部材２０，２１でガイド軸１６，１７を締め付けたロック状態を示している。
【００５０】
図１５及び図１６において実線で示す状態から、操作レバー２５を回動させると、その回動量に対応したピッチ分だけネジ部材２６が筒状軸部３４から突出される。すると、ネジ部材２６の押圧力が、スペーサリング２７及びテコ部材２４を介してクランプレバー２３に伝達され、クランプレバー２３が持ち上げられる。このとき、クランプレバー２３の凹溝４５には２つのクランブ部材２０，２１の第１の突起部２２ｂ，２２ｂが係合されているため、これが負荷となって作用する。しかしながら、クランプレバー２３を持ち上げる力はネジ部材２６の回転力であるため、クランプレバー２３を持ち上げる力よりも十分に小さな回転力によってクランプレバー２３を移動させることができる。
【００５１】
しかも、クランブ部材２０，２１は、耐摩耗性に優れていると共にある程度の弾性を有する樹脂（ＰＯＭ、ＰＡ等）で形成され、その胴体部２２ａには周方向への連続を断つスリット４４が設けられている。そのため、クランプレバー２３によって第１の突起部２２ｂを持ち上げると、第２の突起部２２ｃがハウジング１４の所定位置に位置決めされているため、胴体部２２ａが各ガイド軸１６，１７へ巻き付くように締め付けられる。従って、操作レバー２５を回動操作するだけで、クランブ部材２０，２１でガイド軸１６，１７を締め付けて強固にロックすることができる。
【００５２】
これとは逆に、図１５及び図１６において二点鎖線で示す状態から、操作レバー２５を逆方向へ回動すると、その回動量に対応したピッチ分だけネジ部材２６が筒状軸部３４側に後退される。その結果、クランブ部材２０，２１の第１の突起部２２ｂ自体が持つ弾性力によってクランプレバー２３が押し下げられ、二点鎖線で示す状態から実線で示す状態に変化する。これにより、クランブ部材２０，２１によるガイド軸１６，１７の締付力が解放され、ロック状態が解除される。その結果、ガイド軸１６，１７の出し入れが容易になり、電子ビューファインダ４の位置調整が可能となる。
【００５３】
また、この実施例では、移動量拡大機構を用いているため、操作レバー２５の回動による軸方向への移動という小さな移動量に基づいてクランプレバー２３を大きく移動させることができる。即ち、ネジ部材２６の押圧部２６ｂとクランプレバー２３との間にテコ部材２４を介在させ、このテコ部材２４の一端を支持突起部３７によって揺動自在に支持している。そのため、ネジ部材２６の回転量に対応したピッチ分に相当する小さな移動量でありながら、これを拡大してクランプレバー２３に伝達し、そのクランプレバー２３によってクランブ部材２０，２１を大きく弾性変形させることができる。
【００５４】
本実施例の場合、テコ部材２４の回動中心となる支点ピン３９からスペーサリング２７がテコ部材２４に接触する部分の最短距離をＬとし、支点ピン３９からクランプレバー２３の中心までの距離をＭとしている。そのため、ネジ部材２６の移動量をＳとすると、クランプレバー２３の移動量Ｔは、Ｔ＝（Ｍ／Ｌ）×Ｓ倍となる（Ｍ＞Ｌ、Ｔ＞Ｓ）。従って、操作レバー２５の回動量を大きく取ることなく、クランプレバー２３を十分に大きく移動させることができ、ガイド軸１６，１７の十分な締付状態を確保することができる。
【００５５】
本発明は、前述した実施例に限定されるものではない。例えば、前記実施例では、第１の電子機器部としてデジタルビデオカメラに適用した例について説明したが、デジタルスチルカメラ、監視カメラその他の撮像装置に適用できることは勿論である。更に、第１の電子機器部としては、撮像装置の他にも、例えば、ディスクプレーヤやディスクレコーダ等の音響機器、テレビ受像機、プロジェクタ装置その他各種の電子機器に適用できるものである。
【００５６】
また、前記実施例では、第２の電子機器部として電子ビューファインダ（アクセサリー部）に適用した例について説明したが、その他のビューファインダに適用できることは勿論である。更に、液晶モニタや有機ＥＬモニタその他の表示装置に適用して、そのモニタをスライドさせる構造とすることもできる。また、第２の電子機器部としては、図示して説明しないが、肩当てパッドをアクセサリー部として位置調節可能に構成し、その肩当てパッドの位置調節固定機構として本発明を適用することもできる。更に又、本発明の前記実施例においては、２本のガイド軸を用いた例について説明したが、ガイド軸は３本以上を使用するものであってもよい。その場合には、ガイド軸の数と同数のクランプ部材が必要となり、クランプレバーも複数個必要となる。
【００５７】
以上説明したように、本発明によれば、クランプレバーの中央付近の１箇所を押すことにより、２本のガイド軸を同時に締め付けることができる。また、左右のガイド軸が一体化している場合、円柱のピッチ間寸法にバラツキがあると、非保持状態において円柱との強い接触が発生するリスクが高く、スムースなスライドが実現できない。しかしながら、本発明では、独立した２つのクランプ部材で構成しているため、ガイド軸のピッチ間にバラツキがあっても、更に、スライド量が長くても、それらに関係無く、ガイド軸のスムースなスライドを実現することができる。また、前記実施例では、軸方向（スライド方向）の摩擦力を保持する機構として用いたが、回転方向の摩擦力を保持する機構として用いることもできる。
【００５８】
本発明は、前述しかつ図面に示した実施の形態に限定されるものではなく、その要旨を逸脱しない範囲内で種々の変形実施が可能である。
【符号の説明】
【００５９】
１…ビデオカメラ（撮像装置、第１の電子機器部）、  ２…カメラ本体、  ３…レンズ装置、  ４…電子ビューファインダ（アクセサリー部、第２の電子機器部）、  ５…ファインダ取付装置（締結部）、  ８…肩当て部、  １１…肩当てパッド、  １２…把手、  １２ａ…把持部、  １２ｂ…前脚部、  １４…ハウジング、  １６，１７…ガイド軸、  １８…連結アーム、  １９…膨出部、  ２０，２１…クランプ部材、  ２２ａ…胴体部、  ２２ｂ…第１の突起部、  ２２ｃ…第２の突起部、  ２３…クランプレバー、  ２４…テコ部材、  ２４ａ…平面部、  ２４ｂ、２４ｃ…側面部、  ２５…操作レバー、  ２６…ネジ部材、  ２６ａ…ネジ軸部、  ２６ｂ…押圧部、  ２６ｃ…固定軸部、  ２７…スペーサリング、  ２８…外空間部、  ２９…内空間部、  ３１ａ，３１ｂ…軸受部、  ３２…軸受穴、  ３３…ネジ穴、  ３４…筒状軸部、  ３５…レバー用空間部、  ３７…支持突起部、  ３８…ガイドピン、  ３８…支点ピン、  ４４…スリット、  ４５…凹溝、  ５２…長溝、  ５３…軸受長溝
【図１】
2010252111.tif 000003
【図２】
2010252111.tif 000004
【図３】
2010252111.tif 000005
【図４】
2010252111.tif 000006
【図５】
2010252111.tif 000007
【図６】
2010252111.tif 000008
【図７】
2010252111.tif 000009
【図８】
2010252111.tif 000010
【図９】
2010252111.tif 000011
【図１０】
2010252111.tif 000012
【図１１】
2010252111.tif 000013
【図１２】
2010252111.tif 000014
【図１３】
2010252111.tif 000015
【図１４】
2010252111.tif 000016
【図１５】
2010252111.tif 000017
【図１６】
2010252111.tif 000018